(57)【要約】【課題】    「へ」の字状に屈曲可能な座用クッションの提供【解決手段】座用クッション内部に内蔵された当該座用クッションの外形形状に応じたフレーム枠体を有し、前記フレーム枠体は、座椅子用リクライニングギヤ一対を用いて回動自在に連結された座者が座る前方部と後方部とに二分され、前記二分された前方部と後方部とを前記一対の座椅子用リクライニングギヤを介して、前記フレーム枠体を側面側から観て、前記後方部が水平状態から床面側に回動して「へ」の字状に屈曲自在な構成にして、座用クッション自体をその側面側から観て、水平状態から「へ」の字状に任意角度で屈曲自在としたことを特徴とする座用クッション。【選択図】  図３
2018164614.tif 000002
【特許請求の範囲】
【請求項１】
座用クッション内部に当該座用クッションの外形形状に応じたフレーム枠体を内蔵させ、前記フレーム枠体を、座者が座る前方部と後方部とに二分して、前記前方部と後方部とを座椅子用リクライニングギヤ一対を用いて回動自在に連結し、当該フレーム枠体を側面側から観て、水平状態から前記後方部が床面側に回動して「へ」の字状に屈曲自在な構成として、座用クッション自体をその側面側から観て、水平状態から「へ」の字状に任意角度で屈曲自在にしたことを特徴とする座用クッションの屈曲方法。
【請求項２】
座用クッション内部に内蔵された当該座用クッションの外形形状に応じたフレーム枠体を有し、前記フレーム枠体は、座椅子用リクライニングギヤ一対を用いて回動自在に連結された座者が座る前方部と後方部とに二分され、前記二分された前方部と後方部とを前記一対の座椅子用リクライニングギヤを介して、前記フレーム枠体を側面側から観て、前記後方部が水平状態から床面側に回動して「へ」の字状に屈曲自在な構成にして、座用クッション自体をその側面側から観て、水平状態から「へ」の字状に任意角度で屈曲自在としたことを特徴とする座用クッション。
【請求項３】
一対の座椅子用リクライニングギヤは水平状態から少なくとも略９０度回動することを特徴とする請求項２の座用クッション。
【請求項４】
座用クッションの裏面側を表面側と同様のクッション構造にして、少なくともフレーム枠体が水平状態において当該座用クッションの表裏を両用可能としたことを特徴とする請求項２乃至請求項３の何れかに記載の座用クッション。
【請求項５】
後方部を略９０度回動させて当該座用クッションの表裏を逆転させた使用状態において、起立した前記後方部が前方部に座る座者の腰当てとしたことを特徴とする請求項４の座用クッション。
【発明の詳細な説明】
【技術分野】
【０００１】
本発明は、座布団のように座して用いるクッションである座用クッションに関する。
【背景技術】
【０００２】
従来のこの種の座用クッション（以下、単にクッションともいう）は、主として座り心地の良さが追及されるだけで、その殆ど全ては床面に対して単に平らに敷かれるだけの構造でしかなかつた。尚、本発明では、所謂座布団も座用クッションに含まれる。
【発明の概要】
【発明が解決しようとする課題】
【０００３】
従来の座用クッションでは、例えば、座用クッションに座って座卓に向かい、座卓上でパソコン操作等何がしかの作業（以下、座卓作業ともいう）をする場合では、座者の顔（頭）は卓上に向けられるため、座者の背が前方に大きく傾き、座者の腰は窮屈に曲げられた姿勢を強いられていた。
【０００４】
即ち、この場合、座者の腰は、水平な床面に座用クッションの座面（座者の臀部が載せられる面）が水平であるため、座者の腰は、急角度の屈曲を強いられて、腰への負担が大きくなり、長時間の姿勢維持ができないばかりか、腰痛の原因ともなり、座卓作業には適当なものではなかった。
【０００５】
このため、このような座卓作業に際して座者は、座用クッション、例えば座布団を半折状態に折り曲げ、床面からの臀部の高さ位置を高めて座っていたのであるが、これは座用クッション本来の用法（座面を水平に展開して用いる用法）ではないため、当該座用クッションが不格好に変形したり、損傷し易くなる等の問題があった。
【０００６】
本発明は、座椅子用のリクライニングギヤ（以下、座椅子用リクライニングギヤともいう）を用いて、座用クッション自体をその側面側から観て、水平状態から任意の角度で「へ」の字状に屈曲自在な構成にして、座者の臀部が座る座面を適度に前方に向けて下り傾斜可能とすることにより、座者を自然な前傾姿勢で座卓に向かわせて、座卓作業に適し、座卓を用いる日本ならではの生活を更に快適にする屈曲自在な座用クッションとその屈曲方法の提供とを目的とするものである。
尚、前後方向とは、座者が座用クッション（の座面）に座った状態においての、座者の正面側方向を前方といい、座者の背面側方向を後方という。
【課題を解決するための手段】
【０００７】
請求項１の座用クッションの屈曲方法の発明は、
座用クッション内部に当該座用クッションの外形形状に応じたフレーム枠体を内蔵させ、前記フレーム枠体を、座者が座る前方部と後方部とに二分して、前記前方部と後方部とを座椅子用リクライニングギヤ一対を用いて回動自在に連結し、当該フレーム枠体を側面側から観て、水平状態から前記後方部が床面側に回動して「へ」の字状に屈曲自在な構成として、座用クッション自体をその側面側から観て、水平状態から「へ」の字状に任意角度で屈曲自在にしたことを特徴とする。
【０００８】
請求項２の座用クッションの発明は、
座用クッション内部に内蔵された当該座用クッションの外形形状に応じたフレーム枠体を有し、前記フレーム枠体は、座椅子用リクライニングギヤ一対を用いて回動自在に連結された座者が座る前方部と後方部とに二分され、前記二分された前方部と後方部とを前記一対の座椅子用リクライニングギヤを介して、前記フレーム枠体を側面側から観て、前記後方部が水平状態から床面側に回動して「へ」の字状に屈曲自在な構成にして、座用クッション自体をその側面側から観て、水平状態から「へ」の字状に任意角度で屈曲自在としたことを特徴とする。
【０００９】
請求項３の座用クッションの発明は、
請求項２の座用クッションにおいて、一対の座椅子用リクライニングギヤは水平状態から少なくとも略９０度回動することを特徴とする。
【００１０】
請求項４の座用クッションの発明は、
請求項２乃至請求項３の何れかに記載の座用クッションにおいて、当該座用クッションの裏面側を表面側と同様のクッション構造にして、少なくともフレーム枠体が水平状態において当該座用クッションの表裏を両用可能としたことを特徴とする。
【００１１】
請求項５の座用クッションの発明は、
請求項４の座用クッションにおいて、後方部を略９０度回動させて当該座用クッションの表裏を逆転させた使用状態において、起立した前記後方部が前方部に座る座者の腰当てとしたことを特徴とする。
【発明の効果】
【００１２】
請求項1乃至請求項５の発明によれば、何れも、座用クッション自体をその側面側から観て、水平状態から「へ」の字状に任意に屈曲自在となり、座者の臀部が座る座面の前方部を座者の任意の角度で前方下り傾斜させることができるので、座者は自然で最適な前傾姿勢で座卓に向うことができ、腰への負担を大きく軽減させて長時間の座卓作業を快適に行え座卓作業に適し、座卓を用いる日本ならではの生活を更に快適にする座用クッションを用いることができる。
【００１３】
請求項４の発明によれば、当該座用クッションに内蔵されたフレーム枠体の裏面側を表面側と同様のクッション構造にしてあるので、座用クッションの表裏を反転させて何れの座面側でも座用クッションとして両用することができる。
【００１４】
請求項５の発明によれば、後方部を略９０度回動させて当該座用クッションの表裏を逆転させた使用状態において、起立した後方部が前方部に座る座者の腰当となるので、従来の単に平面的な座用クッションに較べて、座者の腰への負担を軽減させることができ、より安定した姿勢で快適に用いることができる。
【図面の簡単な説明】
【００１５】
【図１】図１は水平状態の座用クッションの斜視図である。
【図２】図２は図１の水平状態の座用クッションに内蔵されたフレーム枠体の斜視図である。
【図３】図３は「へ」の字状に屈曲された座用クッションの斜視図である。
【図４】図４は図３の「へ」の字状に屈曲された座用クッションのフレーム枠体の斜視図である。
【図５】図５は、座用クッションの表皮（カバー）を省略した水平状態における座用クッションの前後方向断面図である。
【図６】図６は図３の「へ」の字状に屈曲された座用クッションの表裏を反転させた斜視図である。
【図７】図７は図６の反転させられた座用クッションに内蔵されたフレ―ム枠体の斜視図である。
【図８】図８は後方部が９０度近く起立させられた状態の座用クッションの斜視図である。
【図９】図９は図８の座用クッションの背側の背面図である。
【発明を実施するための最良の形態】
【００１６】
本発明の最良の形態の実施例を図１乃至図９に示す図面に基づいて以下説明する。
【実施例】
【００１７】
図１乃至図５において、この実施例の座用クッションの屈曲は、以下の構造や方法で行われる。
図１に示す座用クッション１の内部には、図２に示すような、この座用クッション１の外形形状に応じたフレーム枠体２が骨格として内蔵されている。
フレーム枠体２は、座用クッション１がその前後方向において「へ」の字状に折り曲げ可能となるように、前方部２１と後方部２２とに二分された二つの枠体構成部とからなる。
【００１８】
フレーム枠体２を構成する前方部２１と後方部２２との両枠体構成部は、座椅子のリクライニングギヤとして一般に使用されている座椅子用リクライニングギヤ一対２３，２３を用いて、一方の枠体構成部が他方の枠体構成部に対して相対的に回動自在に連結されており、フレーム枠体２をその側面側から観て、図においては左側面側から観て、図２に示す水平状態から後方部２２を床面側（下方側）に回動して、図４に示すように「へ」の字状に屈曲自在な構成としてある。
【００１９】
図３は、フレーム枠体２が図４のように「へ」の字状に屈曲されたときの座用クッション１の外観図であり、図４はそのフレーム枠体の斜視図である。図中の符号１１は座面における前方部、符号１２は座面における後方部を示す。
【００２０】
図１に示す水平状態の座用クッション１を、その側面側から観て、図３に示す「へ」の字状に折り曲げるには、リクライニングギヤを備えた一般の座椅子を任意角度に屈曲する場合の手法と同様に、座椅子用クッション１の適当な部位を掴んだり押えたりしながら行う。この折り曲げ角度は、多段式或いは無断式の座椅子用リクライニングギヤを用いることで、座者の任意の角度に自在に設定できる。
【００２１】
上記のように、この実施例の座用クッション１は、座用クッションの外形形状に応じた形状のフレーム枠体２を骨格部材として内蔵しており、このフレーム枠体２は、当該フレーム部材２の枠体構成部としての前方部２１と後方部２２とで、「へ」の字状に折り曲げられた状態においては、座者が座る座面の部位に相応する前方下り傾斜の前方部２１（座面１１）と、前方下り傾斜の高さ位置を当該前方部２１の後方で支持する後方下り傾斜の後方部２２（座面１２）とに二分されている。
【００２２】
前方部２１と後方部２２とを回動自在に連結する一対の座椅子用リクライニングギヤ２３，２３は、前方部２１と後方部２２とが、少なくとも水平状態から「へ」の字状、好ましくは略９０度の折り曲げ角度で回動自在なギアを用いる。
【００２３】
図３、図４において、一対の座椅子用リクライニングギヤ２３，２３で回動自在に連結された前方部２１（座面１１）と後方部２２（座面１２）とで構成されたフレーム枠体２を内蔵された座用クッション１は、図１、図２に示す水平な平面状態から、後方部２２を床面側（水平状態から下方側）に回動して、「へ」の字状に適度に屈曲させて用いる。
【００２４】
即ち、図３に示すように「へ」の字状に屈曲させた状態において、前方に下り傾斜する前方部２１の傾斜座面１１に座者が座わることにより、座者は、自ずとその着座姿勢が座卓に向かって前方に傾斜した姿勢をとることができ、自然で最適な前傾姿勢で座卓に向うことができる。
【００２５】
次に、図５は座用クッション１の表皮（カバー）を省略した前後方向断面図であり、同図において、以下、当該座用クッションの内部に配設されるクッション部材について説明する。
【００２６】
この実施例に示す座用クッション１では、内蔵されたフレーム枠体２の表面側（図において上方側）と裏面側（図において下方方側）とに、各々積層的に配設されるクッション部材Ａ，Ｂ，Ｃが、同様の配設構成即ちクッション構造で設けられており、水平状態において座用クッション１として用いる場合には、当該座用クッション１の表裏、即ち表面側と裏面側との何れの座面側でも両用できるクッション構造としてある。
【００２７】
尚、この実施例では、フレーム枠体２の表裏面側のクッション構造を同様のクッション部材の配設構成としてあるが、必ずしも同様のクッション部材の配設構成とする必要は無く、フレーム枠体２の表裏面側に座用クッション１の表裏を両用できるクッション構造を備えていればよい。
【００２８】
次に、図６乃至図９において、図３及び図４に示す「へ」の字状に折り曲げられた状態の座用クッション１の表裏を逆転させた状態での、当該座用クッション１の用法を説明する。図６は図３の、図７は図４の、各々「へ」の字状の状態に折り曲げられた座用クッション１の表裏を各々逆転させた状態の座用クッション１である。
【００２９】
上記のように、フレーム枠体２の裏面側に適当なクッション構造を設けておくと、図６、図７に示すように、「へ」の字状の状態に折り曲げられた座用クッション１の表裏を各々逆転させた状態においては、図３に示す前方下り傾斜座面１１の裏面側を水平な座面３１として、図３に示す後方下り傾斜座面１２を起立させた腰当てとして使用し、機能させることができる。
【００３０】
このように、座用クッション１の表裏を逆転させた使用状態においては、後方部２２の折り曲げ角度を略９０度程適度に回動させると、起立した状態において当該後方部２２の裏面３２側が水平な前方部２１の座面３１に座る座者の腰当てとして好適に機能させることができ、本座用クッション１の全面を単に平面的、即ち水平状態に使用する場合に較べて、座者の腰への負担を軽減させることができ、より安定した姿勢で快適に座用クッションとして用いることができる。
【００３１】
尚、図４、図８、図９に示す符号３３は、座用クッション１を取り扱う際の取っ手としての、座用クッション１の表皮（カバー）とは別体の帯体であって、当該帯体３３は、座用クッション１の表皮（カバー）の適所にその両端側が固着され、帯体３３自体は当該表皮（カバー）に密着するように装着されている。
【産業上の利用可能性】
【００３２】
本発明は、座布団を含む座用クッションとして広く適用することができる。
【符号の説明】
【００３３】
１    座用クッション
１１  座面（前方部）
１２  座面（後方部）
２    フレーム枠体
２１  前方部（フレーム枠体）
２２  後方部（フレーム枠体）
３１  座面（座面１１の裏面）
３２  裏面（座面１２の裏面）
【図１】
2018164614.tif 000003
【図２】
2018164614.tif 000004
【図３】
2018164614.tif 000005
【図４】
2018164614.tif 000006
【図５】
2018164614.tif 000007
【図６】
2018164614.tif 000008
【図７】
2018164614.tif 000009
【図８】
2018164614.tif 000010
【図９】
2018164614.tif 000011